(57)【要約】【解決手段】上部フレーム１と底部２とはね上げ側壁３と上部分割側壁４’と下部分割側壁４”とからなる折り畳みコンテナーにおいて、上部フレームの外周側壁の下端に張出リブ１ｂを形成するとともに、底部の外周側壁の上端に、折り畳みコンテナーの折り畳み時に、上部フレームの外周側壁の下端に形成された張出リブ１ｂに接触する張出リブ２ｂを形成したものである。【効果】底部の外周側壁に形成された張出リブの上面と上部フレームの外周側壁に形成された張出リブの下面とが、互いに接触することになるので、折り畳みコンテナーに、上方から負荷が係っても、上部フレームの外周側壁と底部の外周側壁とが、互いに嵌まり込むようなことがなく、従って、折り畳みコンテナーを箱型に組み立てる際にも、上部フレームの持ち上げにより、上部フレームと一緒に底部が持ち上がるようなことを防止することができる。【選択図】図３
2006188270.tif 000002
【特許請求の範囲】
【請求項１】
上部フレームと底部とはね上げ側壁と上部分割側壁と下部分割側壁とからなる折り畳みコンテナーにおいて、前記上部フレームの外周側壁の下端に張出リブが形成されているとともに、前記底部の外周側壁の上端に、折り畳みコンテナーの折り畳み時に、前記上部フレームの外周側壁の下端に形成された張出リブに接触する張出リブが形成されていることを特徴とする折り畳みコンテナー。
【発明の詳細な説明】
【技術分野】
【０００１】
本発明は、種々の物品の保管、輸送或いは搬送等に使用される折り畳みコンテナーに関するものである。
【背景技術】
【０００２】
図６〜図８を用いて、従来の折り畳みコンテナーについて説明する。
【０００３】
折り畳みコンテナーは、上部フレーム１と、底部２と、上部フレーム１にその上端部がヒンジ連結された、折り畳みコンテナーの内側方向に回動可能な側壁（以下、この側壁を、はね上げ側壁という。）３と、上下に分割されているとともに、適当なヒンジ部を介して連結された上部分割側壁４’と下部分割側壁４”とから構成されており、且つ、上部分割側壁４’の上端部が、上部フレーム１にヒンジ連結されており、また、下部分割側壁４”の下端部が、底部２にヒンジ連結されている。
【０００４】
図６に示されている箱型状態の折り畳みコンテナーの略垂直状のはね上げ側壁３を、折り畳みコンテナーの内部方向に回動させて、図７に示されているように、略水平状態とし、次いで、上部分割側壁４’と下部分割側壁４”を連結しているヒンジ部を、折り畳みコンテナーの内部方向に移動させて、上部分割側壁４’と下部分割側壁４”とを重ねることにより、箱型状態の折り畳みコンテナーを、図８に示されているように、高さの低いコンパクトな状態に折り畳むことができるように構成されている。また、底部２に対して上部フレーム１を持ち上げて、略水平状態に重ねられている上部分割側壁４’と下部分割側壁４”を、互いに略面一になるように略垂直に立て、次いで、上部フレーム１に、その上端部がヒンジ連結されているはね上げ側壁３を、略水平状態から垂直方向に回動させることにより、折り畳まれた状態の折り畳みコンテナーを、箱型に組み立てるように構成されている。
【０００５】
上述したような構成を有する折り畳みコンテナーは、特許文献１に開示されている。
【０００６】
【特許文献１】実用新案登録番号第２５８９１６６号公報
【発明の開示】
【発明が解決しようとする課題】
【０００７】
上述した従来の折り畳みコンテナーが折り畳まれた状態においては、底部２の薄板状の略垂直な外周側壁２ａの上端２ａ１と上部フレーム１の薄板状の略垂直な外周側壁１ａの下端１ａ１とが、当接することになる。このように、折り畳まれた状態の折り畳みコンテナーに、上方から負荷が係った場合に、底部２の強度的に弱い薄板状の外周側壁２ａ或いは上部フレーム１の強度的に弱い薄板状の外周側壁１ａが、外側に湾曲変形し、上部フレーム１の外周側壁１ａが、底部２の外周側壁２ａに嵌まり込んだり、或いは、上部フレーム１の外周側壁１ａに、底部２の外周側壁２ａが嵌まり込むという問題があった。
【０００８】
上述したように、上部フレーム１の外周側壁１ａが、底部２の外周側壁２ａに嵌まり込んでいたり、或いは、上部フレーム１の外周側壁１ａに、底部２の外周側壁２ａが嵌まり込んでいると、折り畳みコンテナーを箱型に組み立てるために、上部フレーム１を持ち上げた際に、上部フレーム１と一緒に底部２も持ち上がり、従って、折り畳みコンテナーの箱型への組み立て作業に支障を来すことになる。
【０００９】
また、折り畳まれた状態の折り畳みコンテナーを、多数、段積みした際には、下に位置する折り畳まれた状態の折り畳みコンテナーには、段積みされた折り畳まれた状態の折り畳みコンテナーの負荷がかかり、上に位置する折り畳まれた状態の折り畳みコンテナーの上部フレーム１の周辺側壁１ａが、下に位置する底部２の周辺側壁２ａに嵌まり込んだり、上に位置する折り畳まれた状態の折り畳みコンテナーの上部フレーム１の周辺側壁１ａに、下に位置する底部２の周辺側壁２ａが嵌まり込むことがある。このように、上に位置する折り畳まれた状態の折り畳みコンテナーの上部フレーム１の外周側壁１ａが、下に位置する底部２の外周側壁２ａに嵌まり込んだり、上に位置する折り畳まれた状態の折り畳みコンテナーの上部フレーム１の周辺側壁１ａに、下に位置する底部２の周辺側壁２ａが嵌まり込むと、折り畳まれた状態の折り畳みコンテナーが傾斜し、段積みされた折り畳まれた状態の折り畳みコンテナーが不安定になったり、倒れることになる。
【００１０】
本発明の目的は、上述した従来の折り畳みコンテナーが有する課題を解決することにある。
【課題を解決するための手段】
【００１１】
本発明は、上述した目的を達成するために、上部フレームと底部とはね上げ側壁と上部分割側壁と下部分割側壁とからなる折り畳みコンテナーにおいて、上部フレームの外周側壁の下端に張出リブを形成するとともに、底部の外周側壁の上端に、折り畳みコンテナーの折り畳み時に、上部フレームの外周側壁の下端に形成された張出リブに接触する張出リブを形成したものである。
【発明の効果】
【００１２】
折り畳みコンテナーが折り畳まれた状態においては、底部の外周側壁に形成された張出リブの上面と上部フレームの外周側壁に形成された張出リブの下面とが、互いに接触することになるので、折り畳みコンテナーに、上方から負荷が係っても、上部フレームの外周側壁と底部の外周側壁とが、互いに嵌まり込むようなことがなく、従って、折り畳みコンテナーを箱型に組み立てる際にも、上部フレームの持ち上げにより、上部フレームと一緒に底部が持ち上がるようなことを防止することができ、よって、折り畳みコンテナーの箱型への組み立て作業を容易に、且つ、迅速に行うことができる。
【００１３】
また、折り畳みコンテナーが折り畳まれた状態においては、底部の外周側壁に形成された張出リブの上面と上部フレームの外周側壁に形成された張出リブの下面とが、互いに接触することになるので、折り畳みコンテナーに、上方から負荷が係っても、上部フレームの外周側壁と底部の外周側壁とが、互いに嵌まり込むようなことがなく、従って、上部フレームや底部が損傷するようなことを防止することができる。
【００１４】
更に、折り畳みコンテナーが折り畳まれた状態においては、底部の外周側壁に形成された張出リブの上面と上部フレームの外周側壁に形成された張出リブの下面とが、互いに接触することになるので、折り畳みコンテナーに、上方から負荷が係っても、上部フレームの外周側壁と底部の外周側壁とが、互いに嵌まり込むようなことがなく、従って、多数の折り畳まれた状態の折り畳みコンテナーを、安定した状態で段積みすることができる。
【００１５】
更にまた、上部フレームの外周側壁に張出リブが形成されているので、外周側壁の強度や剛性が高められることになり、ひいては、上部フレームの強度や剛性が向上する。同様に、底部の外周側壁に張出リブが形成されているので、外周側壁の強度や剛性が高められることになり、ひいては、底部の強度や剛性が向上する。
【発明を実施するための最良の形態】
【００１６】
以下に、本発明の実施例について説明するが、本発明の趣旨を越えない限り何ら、本実施例に限定されるものではない。
【００１７】
折り畳みコンテナーは、上述した従来の折り畳みコンテナーと同様に、上部フレーム１と、底部２と、上部フレーム１にその上端部がヒンジ連結された、折り畳みコンテナーの内側方向に回動可能に構成されたはね上げ側壁３と、互いにヒンジ連結された上部分割側壁４’と下部分割側壁４”とから構成されている。これら、上部フレーム１、底部２、はね上げ側壁３、上部分割側壁４’及び下部分割側壁４”は、それぞれ、合成樹脂で一体に成形されている。
【００１８】
上述した従来の折り畳みコンテナーと同様に、上部フレーム１は、略垂直な薄板状の外周側壁１ａを有しており、外周側壁１ａの下端１ａ１には、外周側壁１ａに対して略垂直に、換言すれば、略水平に延在する張出リブ１ｂが形成されている。本実施例においては、このような張出リブ１ｂが、上部フレーム１の外周側壁１ａのうち、短辺側に位置する側壁１ａ’にのみ形成されてるが、外周側壁１ａの長辺側に位置する側壁１ａ”の下端１ａ１に、所定の長さに亘たって、形成することもできし、外周側壁１ａの下端１ａ１の全周に亘たって形成することもできる。
【００１９】
同様に、底部２は、略垂直な薄板状の外周側壁２ａを有しており、外周側壁２ａの上端２ａ１には、外周側壁２ａに対して略垂直に、換言すれば、略水平に延在する張出リブ２ｂが形成されている。本実施例においては、外周側壁２ａの上端２ａ１の全周に亘たって、張出リブ２ｂが形成されている例が示されているが、上述した上部フレーム１の外周側壁１ａの短辺側に位置する側壁１ａ’に形成された張出リブ１ｂに対応して、底部２の外周側壁２ａのうち、短辺側に位置する側壁２ａ’のみに、張出リブ２ｂを形成することもできる。
【００２０】
本発明においては、折り畳みコンテナーが折り畳まれた状態においては、図３に示されているように、底部２の外周側壁２ａの上端２ａ１に形成された張出リブ２ｂの上面と上部フレーム１の外周側壁１ａの下端１ａ１に形成された張出リブ１ｂの下面とが、互いに接触することになるので、折り畳みコンテナーの上部フレーム１に、上方から負荷が係っても、上部フレーム１の外周側壁１ａが、底部２の外周側壁２ａに嵌まり込んだり、或いは、上部フレーム１の外周側壁１ａに、底部２の外周側壁２ａが嵌まり込むようなことがなく、従って、折り畳みコンテナーを箱型に組み立てる際にも、上部フレーム１の持ち上げにより、上部フレーム１と一緒に底部２が持ち上がるようなことを防止することができ、よって、折り畳みコンテナーの箱型への組み立て作業を容易に、且つ、迅速に行うことができる。
【００２１】
また、折り畳みコンテナーが折り畳まれた状態においては、底部２の外周側壁２ａの上端２ａ１に形成された張出リブ２ｂの上面と上部フレーム１の外周側壁１ａの下端１ａ１に形成された張出リブ１ｂの下面とが、互いに接触することになるので、折り畳みコンテナーの上部フレーム１に、上方から負荷が係っても、上部フレーム１の外周側壁１ａが、底部２の外周側壁２ａに嵌まり込んだり、或いは、上部フレーム１の外周側壁１ａに、底部２の外周側壁２ａが嵌まり込むようなことがなく、従って、上部フレーム１や底部２の損傷を防止することができる。
【００２２】
更に、折り畳みコンテナーが折り畳まれた状態においては、底部２の外周側壁２ａの上端２ａ１に形成された張出リブ２ｂの上面と上部フレーム１の外周側壁１ａの下端１ａ１に形成された張出リブ１ｂの下面とが、互いに接触することになるので、折り畳みコンテナーの上部フレーム１に、上方から負荷が係っても、上部フレーム１の外周側壁１ａが、底部２の外周側壁２ａに嵌まり込んだり、或いは、上部フレーム１の外周側壁１ａに、底部２の外周側壁２ａが嵌まり込むようなことがないので、多数の折り畳まれた状態の折り畳みコンテナーを、安定した状態で段積みすることができる。
【００２３】
更にまた、上部フレーム１の外周側壁１ａに張出リブ１ｂが形成されているので、外周側壁１ａの強度や剛性が高められることになり、ひいては、上部フレーム１の強度や剛性が向上する。同様に、底部２の外周側壁２ａに張出リブ２ｂが形成されているので、外周側壁２ａの強度や剛性が高められることになり、ひいては、底部２の強度や剛性が向上する。
【図面の簡単な説明】
【００２４】
【図１】図１は、箱型に組み立てられた状態の本発明の折り畳みコンテナーの斜視図である。
【図２】図２は、折り畳み途中或いは組み立て途中の本発明の折り畳みコンテナーの斜視図である。
【図３】図３は、折り畳まれた状態の本発明の折り畳みコンテナーの斜視図である。
【図４】図４は、本発明の折り畳みコンテナーを構成する上部フレームの部分拡大斜視図である。
【図５】図５は、本発明の折り畳みコンテナーを構成する底部の部分拡大斜視図である。
【図６】図６は、箱型に組み立てられた状態の従来の折り畳みコンテナーの斜視図である。
【図７】図７は、折り畳み途中或いは組み立て途中の従来の折り畳みコンテナーの斜視図である。
【図８】図８は、折り畳まれた状態の従来の折り畳みコンテナーの斜視図である。
【符号の説明】
【００２５】
１・・・・・・・・上部フレーム
１ｂ・・・・・・・張出リブ
２・・・・・・・・底部
２ｂ・・・・・・・張出リブ
３・・・・・・・・はね上げ側壁
４’・・・・・・・上部分割側壁
４”・・・・・・・下部分割側壁
【図１】
2006188270.tif 000003
【図２】
2006188270.tif 000004
【図３】
2006188270.tif 000005
【図４】
2006188270.tif 000006
【図５】
2006188270.tif 000007
【図６】
2006188270.tif 000008
【図７】
2006188270.tif 000009
【図８】
2006188270.tif 000010